(57)【特許請求の範囲】
【請求項１】
底板と、吹出口を備えたフロントパネルと、左右の側面パネルと、下方に垂下するフランジを周囲に備えた天板とで本体を構成し、同本体内に、圧縮機と、送風ファンとを備えるとともに、前記フロントパネルから前記側面パネルにかけて、保守点検用の開口部を形成し、同開口部に、サービスパネルを着脱自在に設けてなる空気調和機の室外機において、
前記サービスパネルの両側に後方に突出した係止爪を設けるとともに、前記開口部の周縁に前記係止爪に対応した係合孔を設け、
前記サービスパネルは、両側の前記係止爪が前記係合孔に挿入され、一側端の係止爪の下端が、同係止爪が挿入される係合孔の下端に接触するとともに、同係止爪の上端と同係止爪が挿入される係合孔の上端縁との間に、同係止爪を前面に向かい水平に引き抜き可能な隙間を生じる一方、他側端の係止爪の上端部が同係止爪が挿入される係合孔の上端縁に係止し、同係止爪の下端部と同係止爪が挿入される係合孔の下端縁との間に、前記サービスパネルを傾斜させることにより同サービスパネルを前面下方に引き出し可能な隙間を生じ、同サービスパネル上端部の一部が前記天板のフランジ裏面に保持され、前記開口部に仮止状態となる第一の状態と、
前記サービスパネルが前記第一の状態から上方にスライドされ、両側の前記係止爪が前記係合孔に係合するとともに、一側端の係止爪の下端と、同係止爪が挿入される係合孔の下端との間に生じる隙間に対し、他側端の係止爪の下端と、同係止爪が挿入される係合孔の下端との間に生じる隙間が大きく、同サービスパネルの上端部が前記天板のフランジ裏面上部に対応する位置まで挿入された第二の状態とで、前記開口部に保持されるようにしたことを特徴とする空気調和機の室外機。
【請求項２】
前記他側端の係止爪は、同係止爪に対応する係合孔と対向した上部前面に傾斜面を有することを特徴としてなる請求項１に記載の空気調和機の室外機。
【発明の詳細な説明】
【技術分野】
【０００１】
本発明は、空気調和機の室外機に関わり、より詳細には、本体に着脱自在に設けられたメンテナンス用のサービスパネルの構成に関するものである。
【背景技術】
【０００２】
大能力タイプの室外ユニットや、パッケージエアコンの室外ユニットは、配管接続部が本体内部に収納されており、室外機設置時の配管接続作業や冷媒の充填作業、または圧縮機や、制御基板を収納した電装品箱の保守点検作業に対応して、圧縮機を収納した圧縮機室の前面に大口径の開口部を設け、同開口部に着脱自在なサービスパネルを設けている。サービスパネルの着脱は、サービスパネルを本体に固定している複数の螺子を外し、サービスパネルの係止爪を本体の掛合孔から外すことにより行われるようになっている。
【０００３】
例えば、図８に示す室外機４０は、底板４１上に、吹出口４２ｂを形成したフロントパネル４２と、右側パネル４４と、左側パネル４３とを立設し、これらの上面に天板４５を被着するようになっており、フロントパネル４２の右側と、左側パネル４３の前面とは大きく開放されて、開放された部位に、略Ｌ字状に形成されたサービスパネル４６が着脱されるようになっている。
【０００４】
サービスパネル４６の左側パネル４３に対応する右端部には、上下方向に複数の係止爪４６ａが形成され、フロントパネル４２に対応する左端部にも、図示はしていないが、上下方向に複数の係止爪が形成されている。また、左側パネル４３の前縁には係止爪４６ａに対応する複数の係合孔４３ａが形成され、フロントパネル４２の右端部にも、複数の係合孔４２ａが形成されている。
【０００５】
図９（Ａ）に示すように、フロントパネル４２の係合穴４２ａに挿入される係止爪４６ｂは、後方に向かい突設されているが、左側パネル４３の係合孔４３ａに対応する係止爪４６ａは、図９（Ｂ）に示すように、横方向に折曲された基端部４６ｃと、同基端部４６ｃの先端部から傾斜して折曲された折曲部４６ｄとからなり、折曲されたことによる幅寸法Ｖは、係合穴４２ａの開口幅寸法Ｗより大きくなるように設定されている。
【０００６】
サービスパネル４６の取り付けは、まず、左端部が手前側になるように、サービスパネル４６を傾け、右端部の複数の係止爪４６ａを左側パネル４３の係合孔４３ａに夫々挿入する。次に、サービスパネル４６を本体の前面に対して平行になるよう回動させると、係止爪４６ａが係合穴４３ａから抜けることなく一時的に保持されるようになっている。
【０００７】
続いて、左端部の係止爪を係合孔４２ａに挿入し、図９（Ｃ）に示すように、係止爪４６ａが係合孔４３ａに係合するとともに、図示はしていないが、係止爪４６ｂが係合孔４２ａに係合するように、サービスパネル４６を上方にスライドさせた後、図示しないサービスパネル４６の複数の螺子挿通孔に螺子を挿通させ、本体の螺子孔に螺合させ、サービスパネル４６を固定する。
【０００８】
係止爪４６ａを係合孔４３ａに一時的に保持させ、回動させて係止爪４６ｂを係合孔４２ａに挿入し、サービスパネル４６の取付作業を行うことにより、重量が有り嵩張るサービスパネル４６の着脱作業を安全に、且つ作業者が単独でも行えるようになっている。
【０００９】
しかしながら、着脱作業時には前方から容易に視認できない係止爪４６ａの折曲部４６ｄの幅寸法Ｖは、係合穴４２ａの開口幅寸法Ｗより大きくなるように設定されていることにより、係合穴４２ａへの係止爪４６ａの挿入が困難になるという問題があった。また、係止爪４６ａを折曲させずに、後方に突出させて形成した場合、サービスパネル４６を固定位置から下方にスライドさせると、右端部の係止爪４６ａと、左端部の係止爪４６ｂとが係合孔４３ａ及び４２ａに対し
同時にフリー状態となり、サービスパネル４６の落下を招く虞があった。
【先行技術文献】
【特許文献】
【００１０】
【特許文献１】特開２００５−１８０７９２号（５頁、図２）
【発明の概要】
【発明が解決しようとする課題】
【００１１】
本発明は、上記問題点に鑑み、視認することが困難な係止爪でも係合孔に挿入しやすく、サービスパネルを下方にスライドさせた際、サービスパネルの不慮の落下を防止して、サービスパネルの本体への着脱作業を安全且つ容易に行える空気調和機の室外機を提供することを目的とする。
【課題を解決するための手段】
【００１２】
本発明は、上記課題を解決するため、底板と、吹出口を備えたフロントパネルと、左右の側面パネルと、下方に垂下するフランジを周囲に備えた天板とで本体を構成し、同本体内に、圧縮機と、送風ファンとを備えるとともに、前記フロントパネルから前記側面パネルにかけて、保守点検用の開口部を形成し、同開口部に、サービスパネルを着脱自在に設けてなる空気調和機の室外機において、前記サービスパネルの両側に後方に突出した係止爪を設けるとともに、前記開口部の周縁に前記係止爪に対応した係合孔を設け、前記サービスパネルは、両側の前記係止爪が前記係合孔に挿入され、一側端の係止爪の下端が、同係止爪が挿入される係合孔の下端に接触するとともに、同係止爪の上端と同係止爪が挿入される係合孔の上端縁との間に、同係止爪を前面に向かい水平に引き抜き可能な隙間を生じる一方、他側端の係止爪の上端部が同係止爪が挿入される係合孔の上端縁に係止し、同係止爪の下端部と同係止爪が挿入される係合孔の下端縁との間に、前記サービスパネルを傾斜させることにより同サービスパネルを前面下方に引き出し可能な隙間を生じ、同サービスパネル上端部の一部が前記天板のフランジ裏面に保持され、前記開口部に仮止状態となる第一の状態と、前記サービスパネルが前記第一の状態から上方にスライドされ、両側の前記係止爪が前記係合孔に係合するとともに、一側端の係止爪の下端と、同係止爪が挿入される係合孔の下端との間に生じる隙間に対し、他側端の係止爪の下端と、同係止爪が挿入される係合孔の下端との間に生じる隙間が大きく、同サービスパネルの上端部が前記天板のフランジ裏面上部に対応する位置まで挿入された第二の状態とで、前記開口部に保持されるようにした構成となっている。
【００１３】
また、前記他側端の係止爪は、同係止爪に対応する係合孔と対向した上部前面に傾斜面を有する構成となっている。
【発明の効果】
【００１４】
請求項１の発明によれば、一側端の係止爪下端が前記係合孔の下端に接触し、同係止爪の上端と前記係合孔の上端縁とに隙間を有する一方、他側端の係止爪上端部が前記係合孔上端縁に係止し、同係止爪の下端部と前記係合孔の下端縁との間に隙間を有するとともに、サービスパネル上端部が前記天板のフランジ裏面に係止される第一の状態と、係止爪が係合孔に係合され、固定手段により前記本体に固定される第二の状態とで、前記本体に保持されるようにしたことにより、係止爪が視認しづらくとも、容易にサービスパネルの着脱作業が行え、また、第一の状態からサービスパネルが不意に外れるような不具合を防止できるようになっている。
【００１５】
請求項２の発明によれば、他側端の係止爪に設けられた傾斜面を利用して、同係止爪が係合孔から抜けるように、サービスパネルを下側が前方となるように傾斜させれば、同サービスパネルを本体から容易に外すことができるようになっている。
【図面の簡単な説明】
【００１６】
【図１】本発明による空気調和機の室外機を示す外観斜視図である。
【図２】本発明による空気調和機の室外機を示す分解斜視図である。
【図３】本体からサービスパネルを外した状態を示す斜視図である。
【図４】サービスパネルを示す斜視図である。
【図５】サービスパネルが本体に固定された状態を示す断面図である。
【図６】サービスパネルを下方にスライドさせた状態を示す断面図である。
【図７】サービスパネルを本体から取り外す状態を示す断面図である。
【図８】従来の室外機を示す説明図である。
【図９】従来の室外機の係止爪と係合孔の関係を示す説明図である。
【発明を実施するための形態】
【００１７】
以下、本発明の実施の形態を、添付図面に基づいた実施例として詳細に説明する。
【実施例１】
【００１８】
本発明による空気調和機の室外機は、図１の外観斜視図及び図２の分解斜視図で示すように、下面に左右一対の脚体１ａを備え、周囲に後述するフランジを備えた平板状の板金からなるベース１と、同ベース１の前面側に立設され、吹出口２ａと同吹出口２ａを保護するファンガード２ｂを備えた前面パネル２と、ベース１の右側に立設される右側パネル５と、ベース１の左側に立設される左側パネル６と、これら、前面パネル２と、右側パネル５と、左側パネル６の上面に被着される板金からなる天板４とで本体を構成しており、また、同本体１の後面は外気の吸込口となっている。
【００１９】
また、前面パネル２の左側から左側パネル６の前面側にかけて、後述する開口部１７が形成され、同開口部１７には、サービスパネル３が着脱自在に装着されるようになっている。
【００２０】
サービスパネル３を本体から本体から外すことにより、後述する圧縮機１０、同圧縮機１０に接続される配管やバルブ類及び電装品箱１６の保守点検作業が行え、また、冷媒の充填作業等も行えるようになっている。
【００２１】
次に、全体構成について説明する。図２の分解斜視図で示すように、前記ベース１上は、仕切板７により左右に区画され、区画された一方に機械室８が、区画された他方に熱交換器室９が設けられている。機械室８には圧縮機１０が配設されるとともに、室内機に連なる配管が接続される操作弁１０ａが設けられ、その上方には、制御基板を収納し、電装品カバー１６ａが被着される電装品箱１６が設けられている。
【００２２】
熱交換器室９には、平行して並べられた多数のフィンと、同フィンに直交するように配設された伝熱管とからなり、Ｌ字状に折曲された熱交換器１１が設けられ、また、ファンモータ取付台１２が設けられている。同ファンモータ取付台１２には、送風ファンとしてのプロペラファン１４を回動自在に軸支したファンモータ１３が固定され、また、前面パネル２の吹出口２ａの裏面には、プロペラファン１４を保護する円環状のファンリング１５が設けられるようになっている。
【００２３】
ファンモータ１３によりプロペラファン１４が駆動されると、室外の空気は本体の背面から吸入され熱交換器１１を通過することにより熱交換器１１内を流れる冷媒と熱交換する。熱交換された空気は前面パネル２の吹出口２ａから再び室外に排出され、熱交換器１１を通過して熱交換された冷媒は、図示しない室内機に循環し、室内の冷暖房を行うようになっている。
【００２４】
オープンパネル３を本体から外すと、図３に示すように、開口部１７から、機械室８に配設された圧縮機１０、操作弁１０ａ及び制御基板を収納した電装品箱１６の保守点検作業が行えるようになっている。前面パネル２の開口部１７側の端縁には段差部１８ａが形成され、同段差部１８ａに連なる側縁フランジ１８には、上下方向に、縦長状に形成された係合孔２１と係合孔２２が一対となって設けられ、また、複数の螺子孔１８ｂが設けられている。
【００２５】
また、前面パネル２の開口部１７側下縁にも、同様に段差部２０ａが形成され、同段差部２０ａに連なる下縁フランジ２０には、横長状のリブ２０ｃが前面に向け突設されるとともに、螺子孔２０ｂが設けられている。リブ２０ｃはサービスパネル３が装着された際、サービスパネル３を前方に押圧して緩みなく開口部１７に嵌装されるようにしている。
【００２６】
左側パネル６の開口部１７側前縁にも、段差部１９ａが形成されるとともに、同段差部１９ａに連なる側縁フランジ１９が形成されており、段差部１９ａの下部には、縦長状に形成された係合孔２３が設けられている。
【００２７】
サービスパネル３は、図４の裏面側からの斜視図で示すように、開口部１７の前面側を覆う前面部３ａと、側面側を覆う側面部３ｂとからなる断面Ｌ字状に形成され、前面部３ａの一側端となる右側部端縁には、上記した側縁フランジ１８の係合孔２１と係合孔２２とに対応する係止爪２４と係止爪２５とが後方に向かい突設され、前面部３ａの他側端となる左側部端縁下部にも上記した側縁フランジ１９の係合孔２３に対応する係止爪２６が設けられている。また、上端部３ｃは後述するように、天板４のフランジ４ａ裏面に保持されるようになっており、同上端部３ｃの裏面には横長状のリブ３ｄが突設されている。また、周縁には、図示しない螺子挿通孔が複数穿設されている。
【００２８】
係止爪２４と係止爪２５とは形状及び寸法が等しく、これらに対応する係合孔２１と係合孔２２とも形状及び寸法が等しくなっているが、後述するように、係止爪２４及び係止爪２５と、係止爪２６とは形状及び寸法が異なっている。また、係合孔２１及び係合孔２２と係合孔２３とは上下方向の開口幅が異なっている。
【００２９】
次に、係止爪２４と係止爪２５を係合孔２１と係合孔２２に夫々係合させ、係止爪２６を係合孔２３に係合させて、サービスパネル３が本体に固定された第一の状態について説明する。図５（Ａ）は、係止爪２４及び係止爪２５が係合孔２１及び係合孔２２に係合した状態を示す断面図であり、図５（Ｂ）は、係止爪２６が係合孔２３に係合された状態を示す断面図である。
【００３０】
係止爪２４は、図５（Ａ）に示すように、矩形状に形成された基部２４ａと、同基部２４ａから上方に突設された爪部２４ｂとからなり、同様に、係止爪２５も矩形状に形成された基部２５ａと、同基部２５ａから上方に突設された爪部２５ｂとからなっている。
【００３１】
係止爪２６も、図５（Ｂ）に示すように、矩形状に形成された基部２６ａと、同基部２６ａから上方に突設された爪部２６ｂとからなり、同爪部２６ｂは第一係止部２６ｃと、同第一係止部２６ｃ上部の第二係止部２６ｄとから構成されている。また、第二係止部２６ｄの前面側は斜辺２６ｅとなっている。また、爪部２６ｂは、係止爪２４の爪部２４ｂ及び係止爪２５の爪部２５ｂより長く設定されている。
【００３２】
サービスパネル３が開口部１７に取りつけられ、係止爪２４及び係止爪２５が係合孔２１及び係合孔２２とに挿入される第一の状態の後、サービスパネル３が上方にスライドされると、図５（Ａ）で示すように、係止爪２４の爪部２４ｂが係合孔２１の上縁裏面に寸法Ｍの長さで係合するとともに、係止爪２５の爪部２５ｂも係合孔２２の上縁裏面に寸法Ｍの長さで係合するようになっている。また、この状態で係止爪２４の基部２４ａ下端と係合孔２１の下端縁との間には隙間Ａが生じ、係止爪２２の基部２５ａ下端と係合孔２２の下端縁との間にも隙間Ａを生じるようになっている。
【００３３】
係止爪２６も、サービスパネル３が上方にスライドされると、図５（Ｂ）で示すように、爪部２６ｂが係合孔２３の上縁裏面に寸法Ｐの長さで係合するようになっており、また、基部２６ａの下端と、係合孔２３の下端縁との間には、係止爪２４と係止爪２５における隙間Ａより大きい隙間Ａ＋Ｕを生じるようになっている。
【００３４】
サービスパネル３が本体に螺子止により固定される第二の状態において、図５（Ａ）及び図５（Ｂ）に示すように、係止爪２４の基部２４ａの上端縁と係合孔２１の上端縁とが当接し、係止爪２２の基部２５ａの上端縁と係合孔２２の上端縁とが当接するようになっている。また、係止爪２６の基部２６ａの上端縁と係合孔２３の上端縁とが当接するようになっており、これらの関係を保つように、係合孔２１、係合孔２２及び係合孔２３の上端縁位置が設定されている。尚、サービスパネル３が本体に装着される際、開口部１７に仮止状態となる後述する第一の状態は、サービスパネル３を外す際の仮止状態と同じなので、説明は、これに替える。
【００３５】
サービスパネルの上端部３ｃは、図５（Ａ）及び図５（Ｂ）で示すように、天板４のフランジ４ａの裏面に寸法Ｌの長さで潜り込んで、フランジ４ａに保持されるようになっている。また、潜り込んだ上端部３ｃのリブ３ｄがフランジ４ａの裏面に押圧され、これにより、サービスパネル３の本体取付時のガタ付き発生を防止するようになっている。
【００３６】
係止爪２４及び係止爪２５と係止爪２６が夫々係合され、上端部３ｃがフランジ４ａの裏面に保持されると、サービスパネル３の図示しない螺子挿通孔に螺子が挿通されるとともに、上記した螺子孔１８ｂ及び螺子孔２０ｂに螺合され、これによりサービスパネル３は本体に固定されるようになっている。
【００３７】
次に、固定された第二の状態から、サービスパネル３を本体から取り外せる第一の状態に移行する手順について説明する。まず、図５（Ａ）に示す状態において、サービスパネル３を本体に固定していた複数の螺子を抜脱し、サービスパネル３を下方にスライドさせる。下方にスライドさせると、図６（Ａ）に示す、上下のＳ部のように、係止爪２４の基部２４ａの下端が係合孔２１の下端縁に接触するとともに、係止爪２５の基部２５ａの下端が、係合孔２２の下端縁に接触する。また、爪部２４ｂの上端と係合孔２１の上端縁との間には隙間Ｒができ、同様に、爪部２５ｂの上端と係合孔２２の上端縁との間には隙間Ｒができるようになっている。爪部２４ｂ及び爪部２５ｂと、係合孔２１及び係合孔２２の夫々の上端縁の間に隙間Ｒが生じることにより、係止爪２４及び係止爪２５とは係合孔２１及び係合孔２２から前面に向かい水平に引き抜き可能な状態となる。
【００３８】
しかしながら、係止爪２４及び係止爪２５が係合孔２１及び係合孔２２から外れる状態となっても、サービスパネル３の上端部３ｃは天板４のフランジ４ａの裏面に、寸法Ｑの長さで保持される状態となっており、これによりサービスパネル３の上端部３ｃが本体から外れて、前面に倒れ込むような不測の事態を防止できるようになっている。
【００３９】
上記した、係止爪２４及び係止爪２５が係合孔２１及び係合孔２２から外れる状態となり、サービスパネル３の上端部３ｃは天板４のフランジ４ａの裏面に保持された第一の状態において、前面部３ａの左側部下方に位置し、係止爪２４の爪部２４ｂ及び係止爪２５の爪部２５ｂより係止爪２６の爪部２６ｂが長く形成されていることにより、図６（Ｂ）に示すように、係止爪２６の爪部２６ｂの上部に形成された第二係止部２６ｄが、係合孔２３の上端縁に、寸法Ｔの区間で一箇所が係止するようになっている。また、基部２６ａの下端と、係合孔２３との下端縁との間には、寸法Ｕの長さで、サービスパネル３を傾斜させることにより、前面下方に引き出し可能な隙間が生じるようになっている。
【００４０】
左側部に位置する係止爪２６の先端部が係合孔２３の上端縁に一箇所で係止する状態となることにより、サービスパネル３の下部が開口部１７から突然外れて、本体外に落下してしまうというような不測の事態を防止することができるようになっている。
【００４１】
上記した第一の状態から、サービスパネル３を本体から外すには、図７に示すように、サービスパネル３の下端部が前方に傾斜するようにサービスパネル３を傾け、係止爪２６の第二係止部２６ｄに形成された斜辺２６ｅを係合孔２３の上端縁に摺動させながら、基部２６ａの下端と、係合孔２３の下端縁との間に生じている寸法Ｕの長さの隙間を利用して基部２６ａを前面側に引き抜くようにするとともに、上端部３ｃを天板４のフランジ４ａの裏面から引き抜く。これにより、サービスパネル３を本体から外すことができるようになっている。
【００４２】
以上、説明したように、サービスパネル３が本体に固定された第二の状態から、開口部１７の下端にスライドさせ、上端部３ｃがフランジ４ａの裏面に係止されるとともに、係止爪２６の第二係止部２６ｄが、係合孔２３の上端縁に係止した第一の状態へと移行させ、同第一の状態からサービスパネル３を本体から抜き取るようにして作業を継続することにより、単独の作業者でも、安全を確保しながらサービスパネル３の着脱作業を行えるようになっている。
【００４３】
メンテナンス作業が終了し、再び、サービスパネル３を本体に装着する際は、まず、上記した第一の状態となるようにサービスパネル３を本体に仮止めした後、上方にスライドさせて第二の状態とし、複数の螺子により固定を行う。
【００４４】
以上、説明したように、サービスパネル３の着脱作業の際、上記した第一の状態でサービスパネル３を本体に仮止めして行えるので着脱作業が容易に行えるとともに、係止爪２４、係止爪２５及び係止爪２６にも形状に特殊な加工が不要なことにより、コスト上昇を抑制することができるようになっている。
【符号の説明】
【００４５】
１  ベース
１ａ  脚体
２  前面パネル
２ａ  吹出口
２ｂ  ファンガード
３  サービスパネル
３ａ  前面部
３ｂ  側面部
３ｃ  上端部
３ｄ  リブ
４  天板
４ａ  フランジ
５  右側パネル
６  左側パネル
７  仕切板
８  機械室
９  熱交換器室
１０  圧縮機
１０ａ  操作弁
１１  熱交換器
１２  ファンモータ取付台
１３  ファンモータ
１４  プロペラファン
１５  ファンリング
１６  電装品箱
１６ａ  電装品カバー
１７  開口部
１８  側縁フランジ
１８ａ  段差部
１８ｂ  螺子孔
１９  側縁フランジ
１９ａ  段差部
２０  下縁フランジ
２０ａ  段差部
２０ｂ  螺子孔
２０ｃ  リブ
２１  係合孔
２２  係合孔
２３  係合孔
２４  係止爪
２４ａ  基部
２４ｂ  爪部
２５  係止爪
２５ａ  基部
２５ｂ  爪部
２６  係止爪
２６ａ  基部
２６ｂ  爪部
２６ｃ  第一係止部
２６ｄ  第二係止部
２６ｅ  斜辺
【図１】
0005402851.tif 000002
【図２】
0005402851.tif 000003
【図３】
0005402851.tif 000004
【図４】
0005402851.tif 000005
【図５】
0005402851.tif 000006
【図６】
0005402851.tif 000007
【図７】
0005402851.tif 000008
【図８】
0005402851.tif 000009
【図９】
0005402851.tif 000010